(57)【要約】      （修正有）【課題】衣服用ファンを長期間にわたって確実に支持し、衣服用ファン本来の空調能力を十分に発揮させることが可能な衣服用ファン取付用ワッペンを提供する。【解決手段】略中央に開口（外側開口）を有する略円形状の外側布体と、前記外側開口と略同一の開口（内側開口）を有する略四角形状の内側布体と、を具備し、前記外側開口と前記内側開口とが端縁近傍で接続されている。【選択図】図１
0003223985.tif 000002
【実用新案登録請求の範囲】
【請求項１】
略中央に開口（外側開口）を有する略円形状の外側布体と、
前記外側開口と略同一の開口（内側開口）を有する略四角形状の内側布体と、
を具備し、
前記外側開口と前記内側開口とが端縁近傍で接続されていること、
を特徴とする衣服用ファン取付用ワッペン。
【請求項２】
前記外側布体の外径Ｒと、前記内側布体の一辺の長さＬ、とが、単位を同一として、
関係式：Ｒ＜Ｌ
を満たすこと、
を特徴とする請求項１に記載の衣服用ファン取付用ワッペン。
【請求項３】
前記外側布体及び前記内側布体が、それぞれ前記内側布体及び前記外側布体に対向する面に熱融着性接着剤層を有すること、
を特徴とする請求項１又は２に記載の衣服用ファン取付用ワッペン。
【請求項４】
請求項１〜３のうちのいずれかに記載の衣服用ファン取付用ワッペンを具備すること、
を特徴とする衣服。
【考案の詳細な説明】
【技術分野】
【０００１】
本考案は、衣服用ファンを衣服に装着可能とする衣服用ファン取付用ワッペン及びこれを具備する衣服に関する。
【背景技術】
【０００２】
近年、高気温下での作業や運動から引き起こされる熱中症が問題視されている。熱中症とは、視床下部の体温を正常に保つ機能が低下することで全身の発汗作用が停止し、体温が過剰に上昇してしまう症状である。そのため、熱中症が引き起こされると適切な処置を早急に行うことが非常に重要であり、処置が遅れると死に至る可能性もある。
【０００３】
上記のような熱中症対策及び快適な作業環境を提供するために、身体を冷却しつつ作業や運動を可能とする空調衣服が知られるようになってきている（例えば、特許文献１参照）。空調衣服とは、衣服用ファンが一体的に構成された衣服であり、衣服と、身体又は下着と、の間に外気を取り入れ、本来身体の体温で温められたまま移動しない衣服内の空気を強制的に入れ替えるものである。
【０００４】
従来の空調衣服は、衣服用ファンが所定の重量を有するため、一般的な生地で構成された衣服では十分な支持が行えず、衣服用ファン近傍が垂れる及び衣服用ファンが脱落する等の問題があったことから、本考案者は、特許文献２において、衣服用ファンを確実に支持し、衣服用ファン本来の空調能力を十分に発揮させることが可能な衣服用ファン取付用ワッペンを提案した。
【先行技術文献】
【特許文献】
【０００５】
【特許文献１】国際公開第０２／０６７７０８号パンフレット
【特許文献２】実用新案登録第３２１８４２９号
【考案の概要】
【考案が解決しようとする課題】
【０００６】
しかしながら、昨今の夏から秋にかけての猛暑日の多さによって衣服用ファンが使用される頻度が高まるなか、衣服用ファンを長期間にわたって確実に支持するには衣服の生地の厚さ及び強度が更に求められているところである。
【０００７】
そこで、本考案の目的は、衣服用ファンを長期間にわたって確実に支持し、衣服用ファン本来の空調能力を十分に発揮させることが可能な衣服用ファン取付用ワッペンの提供にある。
【課題を解決するための手段】
【０００８】
上記の課題を解決すべく、本考案は、
略中央に開口（外側開口）を有する略円形状の外側布体と、
前記外側開口と略同一の開口（内側開口）を有する略四角形状の内側布体と、
を具備し、
前記外側開口と前記内側開口とが端縁近傍で接続されていること、
を特徴とする衣服用ファン取付用ワッペン、
を提供する。
【０００９】
上記の本考案の衣服用ファン取付用ワッペンにおいては、
前記外側布体の外径Ｒと、前記内側布体の一辺の長さＬ、とが、単位を同一として、
関係式：Ｒ＜Ｌ
を満たすこと、
が好ましい。
【００１０】
また、上記の本考案の衣服用ファン取付用ワッペンにおいては、
前記外側布体及び前記内側布体が、それぞれ前記内側布体及び前記外側布体に対向する面に熱融着性接着剤層を有すること、
が好ましい。
【００１１】
本発明は、上記の本考案の衣服用ファン取付用ワッペンを具備すること、を特徴とする衣服も提供する。
【考案の効果】
【００１２】
上記のような構成を有する本考案の衣服用ファン取付用ワッペンによれば、外側布体及び内側布体から構成され、また内側布体が外側布体よりも大きい面積を有してこれを裏から支える構成を有しているため、衣服用ファンを長期間にわたって確実に支持することができる。
【図面の簡単な説明】
【００１３】
【図１】本考案の実施形態に係る衣服用ファン取付用ワッペン１を用いて衣服用ファン３を衣服５に装着した状態を示す模式図である。
【図２】本実施形態の衣服用ファン取付用ワッペン１の構造を示す図である。
【図３】図１（ａ）における矢視Ａを示す図である。
【図４】衣服５に衣服用ファン取付用ワッペン１の貼付け手順を示す図である。
【図５】衣服５に衣服用ファン取付用ワッペン１の貼付け手順を示す図である。
【図６】衣服５に衣服用ファン取付用ワッペン１の貼付け手順を示す別の図である。
【考案を実施するための形態】
【００１４】
以下、図面を参照しながら、本考案の衣服用ファン取付用ワッペン及びこれを具備する衣服の代表的な実施形態を詳細に説明する。但し、本考案は図示されるものに限られるものではなく、各図面は本発明を概念的に説明するためのものであるから、理解容易のために必要に応じて大小や長短の比率や数量を誇張又は簡略化して表している場合もある。更に、以下の説明では、同一又は相当部分には同一符号を付し、重複する説明は省略することもある。
【００１５】
１．衣服用ファン取付用ワッペン１の概要
図１を用いて本実施形態の衣服用ファン取付用ワッペン１の概要について説明する。図１は、本考案の実施形態に係る衣服用ファン取付用ワッペン１を用いて衣服用ファン３を衣服５に装着した状態を示す模式図である。本実施形態の衣服用ファン取付用ワッペン１は、使用者が任意に選択した衣服５に別途用意した衣服用ファン３をより安定して装着させるためのものである。
【００１６】
使用者は、高気温時における体温上昇を伴う作業又は運動を行う際に、衣服用ファン３を装着した衣服を着用することによって、衣服５と身体との間に外気を取込んで身体で温められた衣服５内の空気を強制的に入れ替えることができるため、身体を効率良く冷却することが可能である。
【００１７】
２．衣服用ファン取付用ワッペン１の構造
次に、図２を用いて本実施形態の衣服用ファン取付用ワッペン１の構造について詳細に説明する。図２（ａ）は、本実施形態の衣服用ファン取付用ワッペン１の平面図であり、図２（ｂ）は、衣服用ファン取付用ワッペン１を構成する外側布体１Ａ及び内側布体１Ｂの平面図である。更に、図３は、図２における矢視Ａを示す図（即ち衣服用ファン取付用ワッペン１のＡ−Ａ線断面図）である。
【００１８】
図２及び３に示すとおり、衣服用ファン取付用ワッペン１は、略中央に開口（外側開口）１３Ａを有する略円形状の外側布体１Ａと、外側開口１３Ａと略同一の開口（内側開口）１３Ｂを有する略四角形状の内側布体１Ｂを具備する。図２及び３における符号９ａ及び９ｂの部分は、端部強化のために刺繍が施されている様子を示しており、外側布体１Ａと内側布体１Ｂが、外側開口１３Ａ及び内側開口１３Ｂの内側端縁の近傍（符号９ａで示される部分）のみで接続されている。即ち、符号９ｂで示される部分は、接続されておらず解放されている。
【００１９】
外側布体１Ａは、図示しないが、例えば、略二層の断面構造を有しており、比較的熱に強いポリエステル等の合成繊維等で形成された生地からなる基層と、加熱によって基層と接着可能な熱融着性接着剤層と、を積層させることにより構成されている。なお、外側布体１Ａは、基層を所定の厚さで形成する又は基層と熱融着性接着材層との間に平滑な芯材（図示せず）等を挟むことにより、形状安定性を持たせてもよい。
【００２０】
また、内側布体１Ｂは、例えば、外側布体１Ａと略同様に基層及び熱融着性接着剤層の積層体により構成してもよい。即ち、外側布体１Ａ及び内側布体１Ｂが、それぞれ外側布体１Ａ及び内側布体１Ｂに対向する面に熱融着性接着剤層を有することが、好ましい。
【００２１】
もっとも、外側布体１Ａと同様の芯等の芯材を含まず、基層は薄く構成してもよい。即ち、外側布体１Ａは内側布体１Ｂより厚く構成してもよいし、逆に、外側布体１Ａは内側布体１Ｂより薄く構成してもよい。このように外側布体１Ａと内側布体１Ｂの厚みを変えると、衣服への取付時に取扱い易い。
【００２２】
なお、外側開口１３Ａ及び内側開口１３Ｂは、衣服用ファン３を挿入可能なサイズ及び形状で形成されており、衣服用ファン３の本体部を挿入して固定することができる。
【００２３】
ここで、図２（ａ）に示すように、外側布体１Ａの外径Ｒと、内側布体１Ｂの一辺の長さＬ、とが、単位を同一として、
関係式：Ｒ＜Ｌ
を満たすことが好ましい。このような態様によれば、内側布体１Ｂによって外側布体１Ａをより確実に支持することができるため、かかるワッペン１を用いれば衣服５に衣服用ファン３を長期間にわたって確実に支持できる。
【００２４】
また、上記の熱融着性接着剤層は例えばポリアミド等を用いて形成することが好ましい。熱融着性接着剤層をこのような態様とすることで、アイロンを用いた加熱等による高温環境下で溶融し、粘着力を発揮することができる。更に、ポリアミドは優れた耐水性を有することから、貼り付けた衣服５の繰り返し使用にも十分耐えることができる。
【００２５】
外側布体１Ａと内側布体１Ｂとは、互いの熱融着性接着剤層を対向させつつ中心を合わせて当接し、外側開口１３Ａと内側開口１３Ｂの内側端縁（符号９ａで示される略環状部分の内縁全周）に沿って刺繍を施すことにより互いに接続されている。よって、外側布体１Ａと内側布体１Ｂとは、図５（ｂ）に示すように、外側布体１Ａを外側から自由に開閉することができ、このように開閉した外側布体１Ａと内側布１体Ｂとの間に衣服５の生地を挟んで貼り付けることができる。
【００２６】
３．衣服用ファン取付用ワッペン１の使用方法
次に、図４、図５及び図６を用いて、衣服５に対する衣服用ファン取付用ワッペン１の貼付け方法について説明する。なお、衣服５は使用者が任意に選択することが可能であり、種々の作業服や運動に適した衣服を用いることができる。
【００２７】
図４は、衣服５に対する衣服用ファン取付用ワッペン１の貼付け手順を示す図であり、図４（ａ）は位置決めを示す模式図であり、図４（ｂ）は、裁断位置の印付けを示す模式図である。また、図５は、衣服５に対する衣服用ファン取付用ワッペン１の貼付け手順を示す図であり、図５（ａ）は、衣服５を裁断する状態を示す模式図であり、図５（ｂ）は、衣服５に衣服用ファン取付用ワッペン１を取り付ける状態を示す模式図であり、図５（ｃ）は、図５（ｂ）における矢視Ｂの断面図である。
【００２８】
更に、図６は、衣服５に対する衣服用ファン取付用ワッペン１の貼付け手順を示す図であり、図６（ａ）は、衣服用ファン取付用ワッペン１に加熱する状態を示す模式図であり、図６（ｂ）は、衣服５に対して衣服用ファン取付用ワッペン１の貼付けが完了した状態を示す模式図である。
【００２９】
図４（ａ）に示すとおり、まず衣服５を平滑な作業面に配置した状態で衣服用ファン３の装着位置を決定し、当該位置に衣服用ファン取付用ワッペン１を配置する（なお図４においては内側布体１Ｂを省略している。）。本実施形態では衣服用ファン取付用ワッペン１の貼り付け位置を腰部近傍の左右２箇所としている。
【００３０】
衣服５背面内側に裁断部の縫い合わせ１９が存在する場合、縫い合わせ１９と衣服用ファン取付用ワッペン１の外周１１との間に、略２〜２．５ｃｍの間隔を設けて衣服用ファン取付用ワッペン１を配置すればよい。縫い合わせ１９が存在しない場合、その他の縫い目等に干渉しないように、例えば略２ｃｍ程度の間隔を設けて衣服用ファン取付用ワッペン１を配置すればよい。また、衣服５の下部縫い合わせ２１と衣服用ファン取付用ワッペン１の外周１１とは、例えば略１５〜２０ｃｍの間隔を設けて衣服用ファン取付用ワッペン１を配置すればよい。
【００３１】
次に、図４（ｂ）に示すように、衣服用ファン取付用ワッペン１が位置ずれを起こさないよう確実に固定しつつ、鉛筆等の筆記用具２２を用いて外側開口１３Ａ沿いに裁断位置の印付けを行う。なお、衣服用ファン３は、ある程度の重量を有するため左右の印位置に大きなズレが生じないよう留意する必要がある。
【００３２】
続いて、図５（ａ）に示すとおり、一旦衣服用ファン取付用ワッペン１を衣服５から離し、ヒートカット又は抜型により衣服用ファン取付孔７を形成するか、又は、鋏等の裁断具鋏等の裁断具２３を用いて衣服５に付けた印の３〜５ｍｍ程度外側に沿って衣服５を裁断し、衣服用ファン取付用孔７を形成する。
【００３３】
そして、図５（ｂ）及び（ｃ）に示すとおり、上記手順で形成した衣服用ファン取付用孔７に対し、衣服用ファン取付用ワッペン１を配設する。衣服用ファン取付用ワッペン１を衣服５の内側から衣服用ファン取付用孔７に接近させ、外側布体１Ａを開きつつ衣服用ファン取付用孔７からこの外側布体１Ａを衣服５の内側から外側に出す。このようにすることで外側布体１Ａと内側布体１Ｂとの間に衣服５の生地を挟んだ状態で衣服用ファン取付用ワッペン１を配設できる（図５（ｃ）参照）。
【００３４】
次に図６（ａ）に示すように、内側及び／又は外側から加熱することにより衣服用ファン取付用ワッペン１を衣服５に貼り付ける。衣服５に直接熱源を当接させないため衣服用ファン取付用ワッペン１の上から当て布２５を被せ、上からアイロン２７等で衣服用ファン取付用ワッペン１を加熱する。温度は略１５０℃程度とし、衣服用ファン取付用ワッペン１を加圧しつつ２０秒程度加熱することが好ましい。衣服５に衣服用ファン取付用ワッペン１が確実に貼り付いていることを確認して手順が全て完了する（図６（ｂ）参照）。
【００３５】
衣服用ファン取付用ワッペン１を貼り付けた衣服５には、常法により、衣服用ファン３を装着し、図１に示すような態様で、本実施形態の衣服５が得られる。なお、衣服用ファン取付用ワッペン１を衣服５に取り付けた後、外側布体１Ａの外周部分（円形状）や、内側布体１Ｂの外周部分（四角形状）を、衣服５に縫製して周辺を強化してもよい。
【００３６】
以上、本考案の代表的な実施形態について図面を参照しつつ説明してきたが、本考案は、これらの実施形態に限定されるものではなく、特許請求の範囲の記載の精神及び教示を逸脱しない範囲でその他の改良例、変形が存在することを当業者に容易に理解される。
【産業上の利用可能性】
【００３７】
本考案の衣服用ファン取付用ワッペン１は、衣服用ファン３を確実に支持し、衣服用ファン３本来の空調能力を十分に発揮させるものである。
【符号の説明】
【００３８】
１      衣服用ファン取付用ワッペン
１Ａ    外側布体
１Ｂ    内側布体
３      衣服用ファン
５      衣服
７      衣服用ファン取付用孔
１２    端縁（内周）
１３Ａ  外側開口
１３Ｂ  内側開口
１９    縫い合わせ
２１    下部縫い合わせ
２２    筆記用具
２３    裁断具
２５    当て布
２７    アイロン
【図１】
0003223985.tif 000003
【図２】
0003223985.tif 000004
【図３】
0003223985.tif 000005
【図４】
0003223985.tif 000006
【図５】
0003223985.tif 000007
【図６】
0003223985.tif 000008